(57)【要約】【課題】メモ用紙等を収容部に簡単に収容できると共に、メモ用紙等を立設状に保持でき、机やテーブル等の上を機能的に利用でき、基板の折畳状態がコンパクトとなり、メモ用紙積重体を確実に保護でき、構成簡素で、量産に適し、低廉で、経済的な用紙スタンド付デスクメモを提供する。【解決手段】複数のメモ用紙の基端縁部分を分離可能に纏めたメモ用紙積重体Ｂと、メモ用紙積重体Ｂの底面部分をその一部に接着すると共に、メモ用紙積重体Ｂの上面部分を覆うように折畳可能な基板Ａとからなり、基板Ａは、メモ用紙積重体Ｂの基端がわに、その一部で適宜立上り部が形成できるよう構成し、立上り部には、メモ用紙等を収容可能な収容部１２を設け、収容部１２でメモ用紙等を立設状に保持できるよう構成する。【選択図】図１
0003123756.tif 000002
【実用新案登録請求の範囲】
【請求項１】
複数のメモ用紙の基端縁部分を分離可能に纏めたメモ用紙積重体と、このメモ用紙積重体の底面部分がその一部に接着されると共に、メモ用紙積重体の上面部分を覆うように折畳可能な基板とからなり、この基板は、メモ用紙積重体の基端がわに、その一部で適宜立上り部が形成できるように構成され、この立上り部には、メモ用紙等を収容可能な収容部を設け、この収容部でメモ用紙等を立設状に保持できるよう構成したことを特徴とする用紙スタンド付デスクメモ。
【請求項２】
複数のメモ用紙の基端縁部分を分離可能に纏めたメモ用紙積重体と、このメモ用紙積重体の底面部分がその一部に接着されると共に、メモ用紙積重体の上面部分を覆うように折畳可能な基板とからなり、この基板は、メモ用紙積重体の下部に配されると共にメモ用紙積重体の底面部分が接着される上底板と、この上底板に折目線を介して連設される前連結板と、この前連結板に折目線を介して連設される立上り正面板と、この立上り正面板に折目線を介して連設される立上り天板と、この立上り天板に折目線を介して連設される立上り前背面板と、この立上り前背面板に折目線を介して連設されると共に立上り前背面板に接着される立上り後背面板と、この立上り後背面板に折目線を介して連設される後連結板と、この後連結板に折目線を介して連設されると共に上底板に接着される下底板とを有し、立上り正面板と立上り天板と立上り前背面板と立上り後背面板とで、適宜立上り部を形成できるように構成し、前記立上り天板及び立上り前背面板に適宜切込線を設けると共に、立上り部の展開動作と同時に、前記切込線部分に収容部が設けられるように形成し、この収容部でメモ用紙等を立設状に保持できるよう構成したことを特徴とする用紙スタンド付デスクメモ。
【考案の詳細な説明】
【技術分野】
【０００１】
本考案は、例えば、メモ用紙等を立設状に保持することが可能となる用紙スタンド付デスクメモに関するものである。
【背景技術】
【０００２】
従来、この種のデスクメモとしては、種々のものが提供されており、例えば、特許文献１のようなカレンダー機能を付加したデスクメモが本願出願人によって提案されている。
【０００３】
【特許文献１】実用新案登録第３０３９４４２号公報
【考案の開示】
【考案が解決しようとする課題】
【０００４】
そして、前述のようなカレンダー機能を付加したデスクメモによって、机やテーブル等の上を機能的に利用できるようになったが、本願出願人は、これに満足することなく、その他の機能を付加したデスクメモを構成簡素に提供できるようにすべく開発を継続していたものである。
【課題を解決するための手段】
【０００５】
しかして、前述の如き課題等を達成すべく、請求項１記載の用紙スタンド付デスクメモにあっては、複数のメモ用紙の基端縁部分を分離可能に纏めたメモ用紙積重体Ｂと、このメモ用紙積重体Ｂの底面部分がその一部に接着されると共に、メモ用紙積重体Ｂの上面部分を覆うように折畳可能な基板Ａとからなり、この基板Ａは、メモ用紙積重体Ｂの基端がわに、その一部で適宜立上り部が形成できるように構成され、この立上り部には、メモ用紙等を収容可能な収容部１２を設け、この収容部１２でメモ用紙等を立設状に保持できるよう構成する手段を採用した。
【０００６】
また、請求項２記載の用紙スタンド付デスクメモにあっては、複数のメモ用紙の基端縁部分を分離可能に纏めたメモ用紙積重体Ｂと、このメモ用紙積重体Ｂの底面部分がその一部に接着されると共に、メモ用紙積重体Ｂの上面部分を覆うように折畳可能な基板Ａとからなり、この基板Ａは、メモ用紙積重体Ｂの下部に配されると共にメモ用紙積重体Ｂの底面部分が接着される上底板１と、この上底板１に折目線を介して連設される前連結板２と、この前連結板２に折目線を介して連設される立上り正面板３と、この立上り正面板３に折目線を介して連設される立上り天板４と、この立上り天板４に折目線を介して連設される立上り前背面板５と、この立上り前背面板５に折目線を介して連設されると共に立上り前背面板５に接着される立上り後背面板６と、この立上り後背面板６に折目線を介して連設される後連結板７と、この後連結板７に折目線を介して連設されると共に上底板１に接着される下底板８とを有し、立上り正面板３と立上り天板４と立上り前背面板５と立上り後背面板６とで、適宜立上り部を形成できるように構成し、前記立上り天板４及び立上り前背面板５に適宜切込線１１を設けると共に、立上り部の展開動作と同時に、前記切込線１１部分に収容部１２が設けられるように形成し、この収容部１２でメモ用紙等を立設状に保持できるよう構成する手段を採用した。
【考案の効果】
【０００７】
従って、本考案の請求項１記載の用紙スタンド付デスクメモによれば、メモ用紙等を収容部１２に簡単に収容させることができるようになると共に、メモ用紙等を立設状に保持できるようになり、机やテーブル等の上を機能的に利用できる用紙スタンド付デスクメモとなる。
しかも、構成が簡素で、量産に適し、低廉で、経済的な用紙スタンド付デスクメモを提供できるようになる。
【０００８】
更に、基板Ａは、メモ用紙積重体Ｂの上面部分を覆うように折畳可能なので、基板Ａの折畳状態がコンパクトとなると共に、メモ用紙積重体Ｂを確実に保護できるようになる。
【０００９】
また、請求項２記載の用紙スタンド付デスクメモによれば、メモ用紙等を収容部１２に簡単に収容させることができるようになると共に、メモ用紙等を立設状に保持できるようになり、机やテーブル等の上を機能的に利用できる用紙スタンド付デスクメモとなる。
しかも、構成が簡素で、量産に適し、低廉で、経済的な用紙スタンド付デスクメモを提供できるようになる。
【００１０】
特に、基板Ａは、メモ用紙積重体Ｂの下部に配されると共にメモ用紙積重体Ｂの底面部分が接着される上底板１と、この上底板１に折目線を介して連設される前連結板２と、この前連結板２に折目線を介して連設される立上り正面板３と、この立上り正面板３に折目線を介して連設される立上り天板４と、この立上り天板４に折目線を介して連設される立上り前背面板５と、この立上り前背面板５に折目線を介して連設されると共に立上り前背面板５に接着される立上り後背面板６と、この立上り後背面板６に折目線を介して連設される後連結板７と、この後連結板７に折目線を介して連設されると共に上底板１に接着される下底板８とを有し、立上り正面板３と立上り天板４と立上り前背面板５と立上り後背面板６とで、適宜立上り部を形成できるように構成し、前記立上り天板４及び立上り前背面板５に適宜切込線１１を設けると共に、立上り部の展開動作と同時に、前記切込線１１部分に収容部１２が設けられるように形成し、この収容部１２でメモ用紙等を立設状に保持できるよう構成したので、収容部１２を比較的堅牢に構成できるようになり、メモ用紙等をより安定的に保持できるようになる。
【００１１】
更に、基板Ａは、メモ用紙積重体Ｂの上面部分を覆うように折畳可能に形成されているので、基板Ａの折畳状態がコンパクトとなると共に、メモ用紙積重体Ｂを確実に保護できるようになる。
【考案を実施するための最良の形態】
【００１２】
以下、本考案を説明すると、次の通りである。
本考案は、主に、机やテーブル等の上に置かれて使用される用紙スタンド付デスクメモであって、複数のメモ用紙の基端縁部分を分離可能に纏めたメモ用紙積重体Ｂと、このメモ用紙積重体Ｂの底面部分がその一部に接着されると共に、メモ用紙積重体Ｂの上面部分を覆うように折畳可能な基板Ａとからなるものである。
そして、この基板Ａは、メモ用紙積重体Ｂの基端がわに、その一部で適宜立上り部が形成できるように構成され、この立上り部には、メモ用紙等を収容可能な収容部１２を設け、この収容部１２でメモ用紙等を立設状に保持できるよう構成されたものである。
【００１３】
更に、基板Ａは、メモ用紙積重体Ｂの下部に配されると共にメモ用紙積重体Ｂの底面部分が接着される上底板１と、この上底板１に折目線を介して連設される前連結板２と、この前連結板２に折目線を介して連設される立上り正面板３と、この立上り正面板３に折目線を介して連設される立上り天板４と、この立上り天板４に折目線を介して連設される立上り前背面板５と、この立上り前背面板５に折目線を介して連設されると共に立上り前背面板５に接着される立上り後背面板６と、この立上り後背面板６に折目線を介して連設される後連結板７と、この後連結板７に折目線を介して連設されると共に上底板１に接着される下底板８とを有するものである。
加えて、立上り正面板３と立上り天板４と立上り前背面板５と立上り後背面板６とで、適宜立上り部を形成できるように構成されている。
しかも、前記立上り天板４及び立上り前背面板５に適宜切込線１１を設けると共に、立上り部の展開動作と同時に、前記切込線１１部分に収容部１２が設けられるようにされている。
【実施例】
【００１４】
前記メモ用紙積重体Ｂは、例えば、比較的大きな矩形状のメモ用紙を複数重ねると共に、その基端縁部分を分離可能に接着して形成され、上のメモ用紙から順次分離できるように構成されている。また、このメモ用紙積重体Ｂは、その基端部分が基板Ａのメモ用紙接着板２に接着されるようになる。ところで、メモ用紙積重体Ｂは、メモ用紙の基端がわ裏面に再接着可能な粘着剤を略帯状に塗布し、このメモ用紙複数を積重して形成したものであっても良い。尚、メモ用紙積重体Ｂの具体的構成、形状、寸法、材質、メモ用紙の具体的形状、寸法、材質、数等は、図示例等に限定されることなく、適宜自由に設定、変更できるものである。
【００１５】
前記基板Ａは、例えば、適宜紙材（適宜合成樹脂材や、適宜複合材であっても良い）等によって略細長矩形板状に形成されており、机やテーブル等の上に安定的に載置でき、しかも、邪魔にならない程度の大きさに形成されている。尚、基板Ａの具体的構成、形状、寸法、材質等は、図示例等に限定されることなく、適宜自由に設定、変更できるものである。
【００１６】
そして、基板Ａの上底板１は、例えば、矩形板状を呈し、メモ用紙積重体Ｂに重なるように形成されている。尚、底板１の具体的構成、形状、寸法、材質等は、図示例等に限定されることなく、適宜自由に設定、変更できるものである。
【００１７】
基板Ａの前連結板２は、例えば、細長矩形板状を呈し、上底板１の一端縁に折目線を介して折曲げ自在に連設されている。しかも、前連結板２は、メモ用紙積重体Ｂの基端縁部分の大きさと略同程度の大きさに形成されている。尚前連結板２の具体的構成、形状、寸法、材質等は、図示例等に限定されることなく、適宜自由に設定、変更できるものである。
【００１８】
基板Ａの立上り正面板３は、例えば、細長矩形板状を呈し、前連結板２の一端縁に折目線を介して折曲げ自在に連設されている。尚、立上り正面板３の具体的構成、形状、寸法、材質等は、図示例等に限定されることなく、適宜自由に設定、変更できるものである。
【００１９】
基板Ａの立上り天板４は、例えば、矩形小板状を呈し、立上り正面板３の一端縁右部分に折目線を介して折曲げ自在に連設されている。尚、立上り天板４の具体的構成、形状、寸法、材質等は、図示例等に限定されることなく、適宜自由に設定、変更できるものである。
【００２０】
基板Ａの立上り前背面板５は、例えば、矩形板状を呈し、立上り天板４の一端縁右部分に折目線を介して折曲げ自在に連設されている。尚、立上り前背面板５の具体的構成、形状、寸法、材質等は、図示例等に限定されることなく、適宜自由に設定、変更できるものである。
【００２１】
基板Ａの立上り後背面板６は、例えば、立上り前背面板５より稍大きな矩形板状を呈し、立上り前背面板５の一端縁部分に折目線を介して連設されていると共に、立上り前背面板５に接着されている。尚、立上り後背面板６の具体的構成、形状、寸法、材質等は、図示例等に限定されることなく、適宜自由に設定、変更できるものである。
【００２２】
そして、前記立上り正面板３と、立上り天板４と、立上り前背面板５と、立上り後背面板６とで立上り部分が形成される。尚、立上り部の具体的構成、形状、寸法、材質等は、図示例等に限定されることなく、適宜自由に設定、変更できるものである。
【００２３】
基板Ａの後連結板７は、例えば、細長矩形板状を呈し、立上り後背面板６の一端縁に折目線を介して折曲げ自在に連設されている。尚、後連結板７の具体的構成、形状、寸法、材質等は、図示例等に限定されることなく、適宜自由に設定、変更できるものである。
【００２４】
基板Ａの下底板８は、例えば、矩形板状を呈し、後連結板７の一端縁に折目線を介して折曲げ自在に連設されると共に、上底板１の下面に接着されている。尚、下底板８の具体的構成、形状、寸法、材質等は、図示例等に限定されることなく、適宜自由に設定、変更できるものである。
【００２５】
前記立上り部の立上り天板４には、ペン差込部となる略円弧状の切込線９が設けられている。
更に、立上り天板４及び立上り前背面板５には、略Ｌ字状の切込線１１が設けられており、この切込線１１を利用して収容部１２が設けられるように形成されている。尚、切込線９の具体的構成、形状、寸法、配設位置、数、切込線１１の具体的構成、形状、寸法、配設位置、収容部１２の具体的構成、寸法、配設位置等は、図示例等に限定されることなく、適宜自由に設定、変更できるものである。
【００２６】
そして、切込線１１で囲繞された部分はスタンド前板１０となり、立上り正面板３と一体的に連設されるようになる（しかも、スタンド前板１０自身、及び立上り正面板３との連設部分に折目線がない）ため、立上り天板４を、立上り前背面板５や立上り正面板３に対して折曲げた時に、スタンド前板１０が上方に突出するようになり、メモ用紙等をより安定的に支持できるようになる。尚、スタンド前板１０の具体的構成、形状、寸法、折目線夫々の具体的構成、形状、寸法、配設位置等は、図示例等に限定されることなく、適宜自由に設定、変更できるものである。
【図面の簡単な説明】
【００２７】
【図１】本考案の用紙スタンド付デスクメモの使用状態を例示する斜視図である。
【図２】本考案の用紙スタンド付デスクメモの折畳状態を例示する斜視図である。
【図３】本考案の用紙スタンド付デスクメモを例示する一部省略縦断側面図である。
【符号の説明】
【００２８】
Ａ      基板
Ｂ      メモ用紙積重体
１      上底板
２      前連結板
３      立上り正面板
４      立上り天板
５      立上り前背面板
６      立上り後背面板
７      後連結板
８      下底板
９      切込線
１０    スタンド前板
１１    切込線
１２    収容部
【図１】
0003123756.tif 000003
【図２】
0003123756.tif 000004
【図３】
0003123756.tif 000005